(57)【要約】  サービス情報処理部はコンテンツのサービス情報から、現時点の映像の輝度情報を示す現状情報と、現時点から所定時間後の映像の輝度情報を示す予告情報とを取得し、レベル制御部は現時点の映像の輝度範囲から予告情報が示す輝度範囲が変化するとき、前記輝度範囲の変化よりも緩やかに輝度範囲を変化させ、表示部はレベル制御部が定めた輝度範囲で映像を表示する。
2017033811.tif 000002
【特許請求の範囲】
【請求項１】
コンテンツのサービス情報から、現時点の映像の輝度情報を示す現状情報と、現時点から所定時間後の映像の輝度情報を示す予告情報とを取得するサービス情報処理部と、
前記現時点の映像の輝度範囲から前記予告情報が示す輝度範囲が変化するとき、前記輝度範囲の変化よりも緩やかに輝度範囲を変化させるレベル制御部と、
前記レベル制御部が定めた輝度範囲で前記映像を表示する表示部と、
を備える受信装置。
【請求項２】
前記レベル制御部は、前記現時点の映像の輝度範囲から前記予告情報で指示される輝度範囲が拡大するとき、前記予告情報で指示される輝度範囲が縮小するときよりも長い時間をかけて前記輝度範囲を変更する請求項１に記載の受信装置。
【請求項３】
前記レベル制御部は、現時点の映像の輝度範囲よりも前記予告情報が示す輝度範囲が広いとき、前記映像の最大輝度を前記所定時間後までに、所定の輝度まで漸次低下させる
請求項１または請求項２に記載の受信装置。
【請求項４】
前記レベル制御部は、所定の輝度までの輝度の低下を、前記所定時間後から漸次解除する請求項３に記載の受信装置。
【請求項５】
前記予告情報が示す輝度情報に有効な継続時間がさらに設定されているとき、前記レベル制御部は、所定の輝度までの輝度の低下を、前記所定時間後のさらに前記継続時間後から漸次解除する請求項３または請求項４に記載の受信装置。
【請求項６】
前記予告情報が示す輝度範囲が変化するとき、前記輝度範囲の変化を通知させる表示制御部、をさらに備える請求項１から請求項５のいずれか一項に記載の受信装置。
【請求項７】
送信装置と受信装置を備える放送システムであって、
前記送信装置は、
コンテンツと、現時点の映像の輝度情報を示す現状情報と、現時点から所定時間後の映像の輝度情報を示す予告情報を含む前記コンテンツのサービス情報を送信し、
前記受信装置は、
前記サービス情報から、前記現状情報と、前記予告情報とを取得するサービス情報処理部と、
前記現時点の映像の輝度範囲から前記予告情報が示す輝度範囲が変化するとき、前記輝度範囲の変化よりも緩やかに輝度範囲を変化させるレベル制御部と、
前記レベル制御部が定めた輝度範囲で前記映像を表示する表示部と、
を備える放送システム。
【請求項８】
受信装置における受信方法であって、
コンテンツのサービス情報から、現時点の映像の輝度情報を示す現状情報と、現時点から所定時間後の映像の輝度情報を示す予告情報とを取得するサービス情報処理ステップと、
前記現時点の映像の輝度範囲から前記予告情報が示す輝度範囲が変化するとき、前記輝度範囲の変化よりも緩やかに前記映像を表示させる輝度範囲を変化させるレベル制御ステップと、
を有する受信方法。
【請求項９】
受信装置のコンピュータに、
コンテンツのサービス情報から、現時点の映像の輝度情報を示す現状情報と、現時点から所定時間後の映像の輝度情報を示す予告情報とを取得するサービス情報処理ステップと、
前記現時点の映像の輝度範囲から前記予告情報が示す輝度範囲が変化するとき、前記輝度範囲の変化よりも緩やかに前記映像を表示させる輝度範囲を変化させるレベル制御ステップと、
を実行させるためのプログラム。
【発明の詳細な説明】
【技術分野】
【０００１】
本発明の実施形態は、ダイナミックレンジが異なる放送映像の切り替わり時の輝度を快適に制御する受信装置、放送システム、受信方法、及びプログラムに関する。
本願は、２０１５年８月２４日に、日本に出願された特願２０１５−１６４７９４号に基づき優先権を主張し、その内容をここに援用する。
【背景技術】
【０００２】
センサー技術や画像処理技術の発展に伴い、ＨＤＲ（Ｈｉｇｈ  Ｄｙｎａｍｉｃ  Ｒａｎｇｅ；ハイダイナミックレンジ、高ダイナミックレンジ、広帯域ダイナミックレンジとも呼ばれる）映像への関心が高まり、その活用が試みられている。ＨＤＲ映像とは、通常の映像よりも広い範囲の輝度を有する映像である。これに対し、通常の映像は、ＬＤＲ（Ｌｏｗ  Ｄｙｎａｍｉｃ  Ｒａｎｇｅ；ローダイナミックレンジ）映像、又はＳＤＲ（Ｓｔａｎｄａｒｄ  Ｄｙｎａｍｉｃ  Ｒａｎｇｅ；通常ダイナミックレンジ）映像と呼ばれる。今後は、放送サービスにおいてＨＤＲ映像が導入されることが予想される。【０００３】
しかしながら、放送サービスにおいて、常にＨＤＲ映像が提供されるとは限らない。番組によりＨＤＲ映像とＳＤＲ映像が使い分けられることが予想される。その場合、通常の番組に限らず、各種商品やサービスの宣伝を主目的とする広告（ＣＭ：Ｃｏｍｍｅｒｃｉａｌ  Ａｄｖｅｒｔｉｓｅｍｅｎｔ）の間で、放送される映像の輝度範囲がＨＤＲとＳＤＲとで切り替わることがある。そのため、受信装置は、番組の切り替わりに応じて輝度範囲の変化に対応することが求められる。【０００４】
そこで、送信装置において放送されるコンテンツに輝度範囲がＨＤＲであるかＳＤＲであるかを示す輝度情報を付加し、受信装置は輝度情報に基づいて各種のパラメータを設定するための技術的要件について規格化が進められている。パラメータには、例えば、ピーク輝度、コントラストなどが含まれる。パラメータの設定は、受信側において送信側の意図に沿った輝度やコントラストに調整された映像が視聴されることを目的とする。【０００５】
また、特許文献１には、テレビジョン放送信号からＣＭ放送開始のトリガ及びＣＭ放送終了のトリガを検出するトリガ検出部を備える受信装置が記載されている。受信装置は、ＣＭ放送開始のトリガが検出されると、トリガ直後のテレビジョン放送信号の特徴量を算出する。そして、算出される特徴量がＣＭデータベースにＣＭである旨と共に記憶されている場合、受信装置はテレビジョン放送信号がＣＭであると判定する。受信装置は、ＣＭ放送開始のトリガ検出からＣＭ放送終了のトリガ検出に至る時間と、算出された特徴量とをＣＭデータベース部に記憶させ、かつ、その時間とその特徴量が検出された回数が所定の回数以上である場合、その特徴量とともにＣＭである旨をＣＭデータベース部に記憶させる。
【先行技術文献】
【特許文献】
【０００６】
【特許文献１】日本国特開２０１１−１０９３９５号公報
【発明の概要】
【発明が解決しようとする課題】
【０００７】
しかしながら、コンテンツの切り替わりに伴い輝度情報の検出に応じて輝度が急激に変化すると、映像を視聴した視聴者が違和感を覚えることや体調を害する可能性がある。また、送信側のエラーや受信装置における不具合による輝度情報のエラーによっても、無用な輝度の変化が生じることがある。【０００８】
本発明は上記の点に鑑みてなされたものであり、輝度の急激な変化による視聴者の違和感や体調不良を防止又は緩和することができる受信装置、放送システム、受信方法、及びプログラムを提供する。
【課題を解決するための手段】
【０００９】
本発明は上記の課題を解決するためになされたものであり、本発明の一態様はコンテンツのサービス情報から、現時点の映像の輝度情報を示す現状情報と、現時点から所定時間後の映像の輝度情報を示す予告情報とを取得するサービス情報処理部と、前記現時点の映像の輝度範囲から前記予告情報が示す輝度範囲が変化するとき、前記輝度範囲の変化よりも緩やかに輝度範囲を変化させるレベル制御部と、前記レベル制御部が定めた輝度範囲で前記映像を表示する表示部と、を備える受信装置である。
【発明の効果】
【００１０】
本発明の実施形態によれば、輝度の急激な変化による視聴者の違和感や体調不良を防止又は緩和することができる。
【図面の簡単な説明】
【００１１】
【図１】第１の実施形態に係る放送システムの構成を示す概略ブロック図である。
【図２】信号レベルと輝度の関係の一例を示す図である。
【図３】信号レベルと輝度の関係の他の例を示す図である。
【図４】第１の実施形態に係る送信装置の構成を示す概略ブロック図である。
【図５】ＭＰＴのデータ構造の一例を示す図である。
【図６】映像コンポーネント記述子のデータ構造の一例を示す図である。
【図７】輝度フラグの設定例を示す図である。
【図８】ＭＨ−ＥＩＴのデータ構造の一例を示す図である。
【図９】第１の実施形態に係る受信装置の構成を示す概略ブロック図である。
【図１０】映像の輝度範囲の時間変化の例を示す図である。
【図１１】第１の実施形態に係る輝度範囲の制御例を示す図である。
【図１２】第１の実施形態に係る輝度範囲の制御を示すフローチャートである。
【図１３】予告フラグを説明するための図である。
【図１４】第２の実施形態に係る輝度範囲の制御例を示す図である。
【図１５】第２の実施形態に係る輝度範囲の制御例を示す図である。
【図１６】映像の輝度範囲の時間変化の例を示す図である。
【図１７】第２の実施形態に係る輝度範囲の制御を示すフローチャートである。
【図１８】映像の輝度範囲の時間変化の例を示す図である。
【図１９】第３の実施形態に係る輝度範囲の制御を示すフローチャートである。
【発明を実施するための形態】
【００１２】
以下、本発明の実施形態について、図面を参照して説明する。
［第１の実施形態］
まず、本発明の第１の実施形態に係る放送システム１の概要について説明する。
図１は、本実施形態に係る放送システム１の構成を示す概略ブロック図である。
放送システム１は、送信装置２０と受信装置１０とを含んで構成される。
送信装置２０は、放送番組を表す放送番組データを、放送伝送路ＢＴを介して受信装置に送信する。放送伝送路ＢＴは、放送番組データを不特定多数の受信装置１０に一方的かつ一斉に送信する伝送路である。放送伝送路ＢＴは、例えば、所定の周波数帯域を有する放送波である。放送伝送路ＢＴは、放送波を中継する放送衛星ＢＳを含んで構成されてもよい。放送伝送路ＢＴには、その一部にネットワーク、例えば、専用回線、ＶＰＮ（Ｖｉｒｔｕａｌ  Ｐｒｉｖａｔｅ  Ｎｅｔｗｏｒｋ）が含まれてもよい。受信装置１０は、放送伝送路ＢＴを介して伝送された放送番組データを受信する。受信装置１０は、受信した放送番組データを構成する映像データに基づく映像を表示する。受信装置１０は、例えば、テレビジョン受信装置など、放送番組データを受信し、受信した放送番組データに係る映像を表示することができる電子機器である。送信装置２０、受信装置１０の数は、一般には複数であるが、以下では、それぞれの数が１個であると仮定して説明する。また、放送システム１は、メディアトランスポート方式としてＭＭＴ（ＭＰＥＧ  Ｍｅｄｉａ  Ｔｒａｎｓｐｏｒｔ）方式を用いる場合を例にする。
【００１３】
放送システム１は、輝度のダイナミックレンジが、互いに異なる複数の放送番組を放送することができる。言い換えれば、放送システム１において、ＨＤＲ放送番組とＳＤＲ放送番組が放送される。ＨＤＲ放送番組は、輝度範囲がＨＤＲであるＨＤＲ映像を構成要素として含む放送番組である。ＳＤＲ放送番組は、輝度範囲がＳＤＲであるＳＤＲ映像を構成要素として含む放送番組である。ＨＤＲ映像を表す映像データ、ＳＤＲ映像を表す映像データを、それぞれＨＤＲ映像データ、ＳＤＲ映像データと呼ぶ。
【００１４】
（映像の輝度）
輝度には、光学輝度と画像輝度との２種類がある。光学輝度とは、光源の明るさを表す物理量の１つである。光学輝度は、例えば、ディスプレイの明るさを表すときに用いられる。本実施形態では、一例として、０〜６０００ｃｄ／ｍ２の輝度範囲をＨＤＲと称し、０〜３００ｃｄ／ｍ２の輝度範囲をＳＤＲと称する。つまり、ＨＤＲは、ＳＤＲによりも広い光学輝度のダイナミックレンジを示す。なお、ＨＤＲ、ＳＤＲの輝度範囲は上述したものに限定されず、例えば、放送システムに応じて任意に定められてよい。以下では、光学輝度のダイナミックレンジを単にダイナミックレンジと呼ぶことがある。画像輝度とは、映像の明るさを表す信号レベル又はその相対値で表される輝度を意味する。以下、光学輝度、画像輝度を、それぞれ単に輝度と呼ぶことがある。
【００１５】
放送システム１は、ＨＤＲ映像データ又はＳＤＲ映像データを含む放送番組データを伝送する。ＨＤＲ映像データは、例えば、Ｒｅｃ．ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  −  Ｒａｄｉｏｃｏｍｍｕｎｉｃａｔｉｏｎ  Ｓｅｃｔｏｒ、国際電気通信連合無線通信部門）  ＢＴ．２０２０により規定される映像フォーマットで構成される。この映像フォーマットを、ＨＤＲ形式と呼ぶ。ＨＤＲ形式は、ＳＤＲ映像データにも適用可能であり、ＵＨＤＴＶ（Ｕｌｔｒａ−Ｈｉｇｈ  Ｄｅｆｉｎｉｔｉｏｎ  Ｔｅｌｅｖｉｓｉｏｎ）に用いられる、以下では、一例として、映像データがＹＣｂＣｒの色空間で表現されるデータである場合について説明する。ただし、映像ソースは、ＲＧＢ等の他の色空間で表現されるデータであってもよい。
【００１６】
ＨＤＲ形式では、画像輝度の信号レベルと、輝度範囲としてＨＤＲとが対応付けられている。例えば、図２に示すようにＨＤＲ形式において、０〜５０％の画像輝度の信号レベルは、０〜３００ｃｄ／ｍ２の光学輝度に対応し、５０〜１００％の画像輝度の信号レベルは、例えば、３００〜６０００ｃｄ／ｍ２の光学輝度に対応する。従って、ＨＤＲ形式により伝送されるＨＤＲ映像データでは、画像輝度の信号レベルは、０〜１００％の範囲を取りうる。以下では、映像データについて、とりうる信号レベルの範囲を、レベル範囲と称する。この例では、ＨＤＲ映像データを構成する画素毎の信号値の最小値（例えば、黒レベル；ｂｌａｃｋ  ｌｅｖｅｌ）、最大値（例えば、公称ピーク；ｎｏｍｉｎａｌ  ｐｅａｋ）が、それぞれ０、１００％に対応する。画素毎の信号値が１２ビットで表される場合、黒レベル、公称ピークの信号値は、例えば、６４、３８４０である。
【００１７】
ＳＤＲ映像データは、例えば、Ｒｅｃ．ＩＴＵ−Ｒ  ＢＴ．７０９により規定される映像フォーマットである。この映像フォーマットを、ＳＤＲ形式と呼ぶ。ＳＤＲ形式は、ＨＤＴＶ（Ｈｉｇｈ  Ｄｅｆｉｎｉｔｉｏｎ  Ｔｅｌｅｖｉｓｉｏｎ）に用いられる。ＳＤＲ形式では、画像輝度の信号レベルと、ＳＤＲとが対応付けられている。例えば、図３に示すようにＳＤＲ形式では、０〜１００％のレベル範囲は０〜３００ｃｄ／ｍ２の光学輝度に対応する。ＳＤＲ映像データの画像輝度の信号レベルは、０〜１００％の範囲を取りうる。この例では、ＳＤＲ映像データを構成する画素毎の信号値の最小値、最大値が、それぞれ０、１００％に対応する。画素毎の信号値が１０ビットで表される場合、黒レベル、公称ピークの信号値は、例えば、１６、９６０である。
以下の説明では、主にＨＤＲ映像の画像輝度の範囲のうち０〜５０％の範囲に対応する光学輝度が、ＳＤＲ映像の画像輝度の範囲（０〜１００％）に対応する光学輝度の範囲（０〜３００ｃｄ／ｍ２）である場合を例にする。
【００１８】
次に、受信装置１０が備える表示部１５（図９）について説明する。表示部１５は、受信装置１０とは、別体の表示装置として構成されてもよい。表示部１５は、光学輝度の範囲がＨＤＲでも、ＳＤＲでも映像を表示可能なディスプレイである。具体的には、表示部１５は、入力されたＨＤＲ映像信号について、画像輝度の信号レベルが０〜５０［％］である場合には、０〜３００［ｃｄ／ｍ２］の光学輝度で表示する。また、表示部１５は、信号レベルが５０〜１００［％］である場合には、３００〜６０００［ｃｄ／ｍ２］の光学輝度で表示する。具体的には、表示部１５は、例えば、図２に例示する電光伝達関数（ＥＯＴＦ、Ｅｌｅｃｔｒｏ  Ｏｐｔｉｃａｌ  Ｔｒａｎｓｆｅｒ  Ｆｕｎｃｔｉｏｎ）に基づいて、画像輝度の信号レベルに応じた光学輝度で表示を行う。ＥＯＴＦとは、ディスプレイに入力される輝度の信号値と、ディスプレイが表示する輝度との対応関係を記述する関数である。
【００１９】
（処理の概要）
次に、放送番組用の映像データの撮像から、映像が表示部１５に表示されるまでの処理の概要を説明する。ここで、映像データの撮像装置（図示せず）は、被写体ＳＵ１、ＳＵ２を撮像し、被写体ＳＵ１、ＳＵ２の光学輝度が、それぞれ２００、２０００［ｃｄ／ｍ２］であることを例にする。被写体ＳＵ１の光学輝度は、ＳＤＲの範囲内であるが、被写体ＳＵ２の光学輝度は、ＳＤＲの上限を超える。送信装置２０は、撮像された映像データを、ＳＤＲ映像データ又はＨＤＲ映像データとして放送番組データの構成要素として受信装置１０に送信する。受信装置１０は、送信装置２０から受信した放送番組データから映像データを取得し、取得した映像データを表示部１５に出力する。
【００２０】
映像データが、ＳＤＲ映像データである場合、被写体ＳＵ１の信号レベルは、０〜１００％の範囲内である。他方、被写体ＳＵ２の光学輝度に対応する信号レベルは、１００％を超えるため１００％となる。そのため、表示部１５は、被写体ＳＵ１を２００ｃｄ／ｍ２の範囲内の光学輝度で表示するのに対し、被写体ＳＵ２が表示される光学輝度は、その上限３００ｃｄ／ｍ２に抑えられる。
映像ソースが、ＨＤＲ映像データである場合、被写体ＳＵ１、ＳＵ２の信号レベルは、０〜５０％、５０〜１００％の範囲内である。そのため、表示部１５は、被写体ＳＵ１、ＳＵ２をそれぞれ、撮像により得られた光学輝度に等しい２００、２０００［ｃｄ／ｍ２］の光学輝度で表示する。
このように、ＨＤＲディスプレイで表示されるＨＤＲ映像は、撮像により得られた光学輝度が画像輝度の信号レベルに対応する輝度範囲がＳＤＲ映像よりも広い。そのため、被写体ＳＵ１と被写体ＳＵ２は異なる光学輝度で表現される。
【００２１】
映像の輝度範囲が、ＨＤＲとＳＤＲとの間で切り替わる場合には、受信装置１０は、表示部１５に対して信号レベルの範囲、ならびに信号輝度と光学輝度との関係を示すＥＯＴＦの設定を変更する。設定の変更によって表現可能な映像の輝度範囲が切り替わるので、映像の輝度が変化する。この映像の輝度の変化は、視聴者が違和感を覚えることや体調を害する原因となりうる。
そこで、本実施形態に係る受信装置１０は、放送番組のサービス情報から、放送番組に含まれる映像の輝度情報を取得し、輝度情報が示す輝度範囲が変化し、かつ放送番組が変更されるとき、輝度範囲の設定を変更前の輝度範囲から変更後の輝度範囲に即座に変更する。そして、受信装置１０は、輝度情報が示す輝度範囲が変化し、かつ番組が変更しないとき、変更前の前輝度範囲から変更後の輝度範囲に輝度範囲の設定を漸次変更する。受信装置１０は、定めた輝度範囲で映像を表示部１５に表示させる。
【００２２】
（送信装置の構成）
次に、本実施形態に係る送信装置２０の構成について説明する。
図４は、本実施形態に係る送信装置２０の構成を示す概略ブロック図である。
送信装置２０は、放送番組データとサービス情報とを多重化し、多重化した多重化データを放送波で送信する。送信装置２０は、サービス情報取得部２１０、放送コンテンツ取得部２２０、多重化部２３０、変調部２４０、及び送信部２５０を含んで構成される。
【００２３】
サービス情報取得部２１０は、サービス情報を取得する。サービス情報とは、放送番組の提供形態、構成など放送サービスの提供に関する情報である。サービス情報は、例えば、ＭＭＴ方式におけるＭＭＴ−ＳＩ（Ｓｅｒｖｉｃｅ  Ｉｎｆｏｒｍａｔｉｏｎ）である。ＭＭＴ−ＳＩ情報には、例えば、ＭＰＴ（ＭＭＴ  Ｐａｃｋａｇｅ  Ｔａｂｌｅ；ＭＭＴパッケージテーブル）、ＭＨ−ＥＩＴ（ＭＨ−イベント情報テーブル、ＭＨ−Ｅｖｅｎｔ  Ｉｎｆｏｒｍａｔｉｏｎ  Ｔａｂｌｅ）が含まれる。ＭＰＴは、放送番組の構成要素であるアセット、つまり映像、音声のリストや、それらの提供条件を示す情報を含むテーブルである。ＭＨ−ＥＩＴは、番組に関する情報、例えば、番組の名称、放送日時、放送内容の説明などを示す情報を含むテーブルである。放送される映像の輝度情報を示す輝度フラグは、例えば、ＭＰＴに含まれる。言い換えれば、輝度フラグは、輝度範囲がＨＤＲであるかＳＤＲであるかを示す。番組の名称、放送日時、放送内容の説明など、番組に関する情報を伝送するテーブルであるＭＨ−ＥＩＴ（ＭＨ−イベント情報テーブル、ＭＨ−Ｅｖｅｎｔ  Ｉｎｆｏｒｍａｔｉｏｎ  Ｔａｂｌｅ）が含まれる。サービス情報取得部２１０は、取得したサービス情報を所定時間（例えば、０．１〜０．５ｍｓ）毎に多重化部２３０に出力する。サービス情報は、番組の進行に応じて更新されるが、更新されない場合には、同一のサービス情報が複数回繰り返されることがある。これにより、受信装置１０が任意の時点で受信した放送信号に基づいて放送番組を提示することができる。
【００２４】
放送コンテンツ取得部２２０は、放送番組データを取得する。放送番組データは、放送番組の内容（コンテンツ）を表すデータである。放送番組データは、例えば、放送番組で提供される映像データ、音声データなどが含まれる。放送コンテンツ取得部２２０は、取得した放送番組データを多重化部２３０に出力する。
【００２５】
多重化部２３０には、サービス情報取得部２１０から入力されたサービス情報と、放送コンテンツ取得部２２０から入力された放送番組データを多重化して多重化データを生成する。多重化部２３０は、生成した多重化データを変調部２４０に出力する。
変調部２４０は、多重化部２３０から入力された多重化データを変調して所定の放送周波数帯域を有する放送信号を生成し、生成した放送信号を送信部２５０に出力する。
送信部２５０は、変調部２４０から入力された送信信号を放送伝送路ＢＴに出力する。
これにより、放送番組データとサービス情報を多重化した多重化データを搬送する放送信号が放送伝送路ＢＴを介して伝送される。放送信号は、例えば、放送波として伝送される。
【００２６】
（ＭＰＴ）
次に、ＭＰＴのデータ構造について説明する。
図５は、ＭＰＴのデータ構造の一例を示す図である。ＭＰＴは、アセットタイプ（ａｓｓｅｔ＿ｔｙｐｅ）と、アセット記述子領域（ａｓｓｅｔ＿ｄｅｓｃｒｉｐｔｏｒｓ＿ｂｙｔｅ）をアセット毎に含んで構成される。アセットタイプ（ａｓｓｅｔ＿ｔｙｐｅ）は、アセットの種類を示す情報である。例えば、アセットタイプとして「ｈｖｃ１」が記述されるアセットは映像を示し、アセットタイプとして「ｍｐ４ａ」が記述されるアセットは音声を示す。
アセット記述子領域は、アセットについての情報を記述する記述子を格納する領域である。アセット記述子領域には、例えば、映像コンポーネント記述子（Ｖｉｄｅｏ＿Ｃｏｍｐｏｎｅｎｔ＿Ｄｅｓｃｒｉｐｔｏｒ）が記述される。
【００２７】
（映像コンポーネント記述子）
次に、映像コンポーネント記述子について説明する。
図６は、映像コンポーネント記述子のデータ構造の一例を示す図である。映像コンポーネント記述子は、映像コンポーネント記述子は、映像コンポーネントに関するパラメータや説明を示す記述子。映像コンポーネント記述子には、未使用パラメータ（ｒｅｓｅｒｖｅｄ）と、コンポーネント記述（ｔｅｘｔ＿ｃｈａｒ）とを含む。本実施形態では、未使用パラメータ（ｒｅｓｅｒｖｅｄ）と、コンポーネント記述（ｔｅｘｔ＿ｃｈａｒ）のいずれかに輝度情報として輝度フラグが記述される。輝度フラグにより、放送される映像の輝度範囲がＨＤＲであるかＳＤＲであるかが指定される。
【００２８】
（輝度フラグ）
図７は、輝度フラグの値の設定例を示す図である。
輝度フラグ（ｖｉｄｅｏ＿ｈｄｒ＿ｆｌａｇ）は、図７に例示されるように、１ビットの情報を有し、１又は０の値をとりうる。値が０であることは、輝度範囲がＳＤＲであり、値が１であることは、輝度範囲がＨＤＲであることを示す。輝度フラグで指定される輝度範囲は、放送番組、１つの放送番組を構成するセグメント（コーナーとも呼ばれる）、１つの放送番組に含まれるＣＭ、などのそれぞれについて設定されることがある。
【００２９】
（ＭＨ−ＥＩＴ）
次に、ＭＨ−ＥＩＴについて説明する。図８は、ＭＨ−ＥＩＴのデータ構造の一例を示す図である。
図８に示す例では、ＭＨ−ＥＩＴ（ＭＨ−Ｅｖｅｎｔ＿Ｉｎｆｏｒｍａｔｉｏｎ＿Ｔａｂｌｅ（））は、イベント識別（ｅｖｅｎｔ＿ＩＤ）、開始時刻（ｓｔａｒｔ＿ｔｉｍｅ）、継続時間（ｄｕｒａｔｉｏｎ）を含む。イベント識別とは、イベントの識別番号を示す。具体的には、例えば、イベント識別は、番組の識別情報を示す。開始時刻は、イベントの開始時刻を示す。つまり、開始時刻は、番組の開始時刻（日時）を示す。継続時間は、イベントの継続時間を示す。つまり、継続時間は、番組の放送時間長を示す。
【００３０】
また、ＭＨ−ＥＩＴは、イベント識別毎に記述子領域（ｄｅｓｃｒｉｐｔｏｒ（））を含む。記述子領域は、記述子を格納する領域である。ＭＨ−ＥＩＴは、例えば、映像コンポーネント記述子を含むことができる。また、記述子領域には、ＭＨ−拡張形式イベント記述子（ＭＨ−Ｅｘｔｅｍｄｅｄ＿Ｅｖｅｎｔ＿Ｄｅｓｃｒｉｐｔｏｒ（））を含むことができる。ＭＨ−拡張形式イベント記述子には、各番組に関する詳細情報が記述される。
詳細情報には、出演者、制作者、などの他、番組の一部であるセグメント（コーナーとも呼ばれる）毎の情報、例えば、提供開始時刻、継続時間、輝度フラグなどが含まれてもよい。
【００３１】
（受信装置）
次に、本実施形態に係る受信装置１０の構成について説明する。
図９は、本実施形態に係る受信装置１０の構成を示す概略ブロック図である。
受信装置１０は、放送受信部１１、入力部１２、拡声部１４、表示部１５、記憶部１６及び制御部１７を含んで構成される。
放送受信部１１は、放送伝送路ＢＴを介して送信装置２０から伝送された放送信号のうち、制御部１７の選局部１７８からの選局信号で指定されるチャンネルで伝送された放送信号を受信する。放送受信部１１は、例えば、放送波を受信するチューナーを含んで構成される。チューナーは、選局信号で指定されたチャンネルに対応した周波数帯域の放送波を受信する。放送受信部１１は、受信した放送信号を制御部１７の復調部１７１に出力する。
【００３２】
入力部１２には、ユーザの操作によって生成された操作信号が入力される。入力部１２は、例えば、制御装置（リモコン）ＲＣからの操作信号を赤外線で受信する赤外線インターフェースを含んで構成される。操作信号は、例えば、電源のオン／オフ、放送波を受信するチャンネル、音量、輝度、コントラストなどの情報を指定する。入力部１２は、操作信号を制御部１７に出力する。なお、入力部１２は、ユーザの操作を受け付けるための物理的な部材、例えば、各種のボタン、つまみなどを含んで構成され、操作に応じた操作信号を生成してもよい。
【００３３】
拡声部１４は、制御部１７の音声処理部１７３から入力された音声データに基づく音声を再生する。拡声部１４は、例えば、スピーカーを含んで構成される。
表示部１５は、制御部１７の映像処理部１７４から入力された映像データに基づく映像を再生する。表示部１５は、上述したようにＨＤＲ映像データに基づくＨＤＲ映像と、ＳＤＲ映像データに基づくＳＤＲ映像とを表示可能なディスプレイである。
記憶部１６は、制御部１７で用いられる設定データ、制御部１７で取得されたデータなど各種のデータを記憶する。記憶部１６は、ＲＡＭ（Ｒａｎｄｏｍ  Ａｃｃｅｓｓ  Ｍｅｍｏｒｙ）、ＲＯＭ（Ｒｅａｄ−ｏｎｌｙ  Ｍｅｍｏｒｙ）などの各種の記憶媒体を含んで構成される。また、記憶部１６は、受信した放送番組の映像データや、予め制作された映画などのコンテンツの映像データを記憶する記憶媒体（例えば、ＢＤ（Ｂｌｕ−ｒａｙ（登録商標）Ｄｉｓｃ））を含んで構成されてもよい。記憶部１６には、放送番組データと、当該放送番組データに多重化されたサービス情報とが対応付けて記憶されてもよい。
【００３４】
制御部１７は、受信装置１０の動作に係る各種の処理を行う。制御部１７は、復調部１７１、分離部１７２、音声処理部１７３、映像処理部１７４及び表示処理部１７５を含んで構成される。表示処理部１７５は、ＳＩ処理部１７６、表示制御部１７７、選局部１７８及びレベル制御部１７９を含んで構成される。制御部１７は、ＣＰＵ（Ｃｅｎｔｒａｌ  Ｐｒｏｃｅｓｓｉｎｇ  Ｕｎｉｔ）等の制御回路を含んで構成される。制御部１７は、記憶部１６から読み取った制御プログラムが表す命令で指示された処理を実行することにより、復調部１７１、分離部１７２、音声処理部１７３、映像処理部１７４、表示処理部１７５などの機能を実現してもよい。
【００３５】
復調部１７１は、放送受信部１１から入力された放送信号を復調して、多重化データを生成する。復調部１７１で用いられる復調方式は、変調部２４０（図４）で用いられる変調方式に対応する復調方式である。復調部１７１は、生成した多重化データを分離部１７２に出力する。
【００３６】
分離部１７２は、復調部１７１から入力された多重化データから放送番組データとサービス情報とを分離する。また、分離部１７２は、放送番組データから音声データと、映像データとを分離する。分離部１７２は、分離した音声データを音声処理部１７３に出力し、分離した映像データを映像処理部１７４に出力する。分離部１７２は、分離したサービス情報を表示処理部１７５に出力する。
【００３７】
音声処理部１７３は、分離部１７２から入力された音声データ（符号化されている）を復号し、復号した音声データを生成する。音声処理部１７３が用いる音声復号方式は、音声データの符号化に用いられた符号化方式に対応する音声復号方式（例えば、ＭＰＥＧ−４オーディオ）である。音声処理部１７３は、復号により生成された音声データを拡声部１４に出力する。
【００３８】
映像処理部１７４は、分離部１７２から入力された映像データ（符号化されている）をＳＩ処理部１７６から入力された輝度情報が示す輝度範囲で復号し、復号した映像データを生成する。映像処理部１７４が用いる映像復号方式は、映像データの符号化に用いられた符号化方式に対応する映像復号方式（例えば、ＨＥＶＣ：Ｈｉｇｈ  Ｅｆｆｉｃｉｅｎｃｙ  Ｖｉｄｅｏ  Ｃｏｄｉｎｇ）である。以下の説明では、分離部１７２から入力された映像データが示す映像を放送映像と呼ぶことがある。映像処理部１７４は、表示処理部１７５からの制御に基づいて放送映像の表示態様を調整する。表示態様として、例えば、各種のグラフィック画面（警告画面、メニュー画面、案内画面、など）の有無、放送された映像、つまり生成した映像データが表す映像の輝度、コントラスト、などが調整される。映像処理部１７４は、例えば、映像処理部１７４から入力されたグラフィック画面データが示すグラフィック画面を、復号した映像に重畳し、重畳した映像を調整された映像として生成する。また、映像処理部１７４は、映像データが示す各画素の信号レベルが、レベル制御部１７９から入力された輝度範囲設定が示す輝度範囲内である画素について、その信号レベルを変更せずに維持する。映像処理部１７４は、映像データが示す各画素の信号レベルが、レベル制御部１７９から入力された輝度範囲設定が示す輝度範囲よりも信号レベルが大きい（または小さい）画素について、その信号レベルを輝度範囲毎の信号レベルの最大値（または最小値）に定める。映像処理部１７４は、調整された映像を示す映像データを表示部１５に出力する。
【００３９】
表示処理部１７５は、映像の表示に関する処理を行う。表示処理部１７５は、ＳＩ処理部１７６、表示制御部１７７、選局部１７８及びレベル制御部１７９を含んで構成される。
ＳＩ処理部１７６は、分離部１７２から入力されたサービス情報を解析する。具体的には、ＳＩ処理部１７６は、サービス情報からＭＰＴの映像コンポーネント記述子を抽出し、輝度フラグに設定された値を参照することにより輝度情報を取得する。ＳＩ処理部１７６は、取得した輝度情報を、映像処理部１７４、表示制御部１７７及びレベル制御部１７９に出力する。ＳＩ処理部１７６は、サービス情報からＭＨ−ＥＩＴを抽出し、抽出したＭＨ−ＥＩＴが示す番組情報を表示制御部１７７とレベル制御部１７９に出力する。
【００４０】
表示制御部１７７は、入力部１２からの操作信号、ＳＩ処理部１７６からの情報の一方又は両方に基づいて表示部１５に表示させるグラフィック画面の表示の要否、グラフィック画面の取得、変更などを制御する。グラフィック画面には、例えば、警告（コ―ション）画面、メニュー画面、などがある。メニュー画面には、表示部１５に表示する輝度、コントラストを設定するための映像設定画面がある。警告画面には、輝度範囲の変化、つまり拡大または縮小を通知するための輝度変化警告画面がある。輝度範囲の拡大を通知するための輝度変化警告画面には、例えば、輝度範囲の拡大による急激な輝度の増加を警告するためのメッセージとして、「映像が急に明るくなります！」などのメッセージが含まれてもよい。記憶部１６には、各種のグラフィック画面を示すグラフィック画面データを予め記憶させておく。
【００４１】
グラフィック画面には、放送映像の輝度範囲の変化に応じて表示する画面や、放送映像の輝度範囲により内容が異なる画面がある。例えば、輝度情報が示す輝度範囲が変化するとき、表示制御部１７７は、輝度変化警告画面の表示を開始させ、所定時間後（例えば、５秒後）に表示を停止する。輝度変化警告画面の表示を開始させるとき、表示制御部１７７は、記憶部１６から輝度変化警告画面を表すための輝度変化警告画面データを読み取り、読み取った輝度変化警告画面データを映像処理部１７４に出力する。
【００４２】
映像設定画面には、放送映像の輝度範囲がＨＤＲであるときに表示すべきＨＤＲ映像設定画面と、放送映像の輝度範囲がＳＤＲであるときに表示すべきＳＤＲ映像設定画面とがある。輝度範囲の差異により、設定可能な輝度の範囲やコントラストの範囲が異なるためである。表示制御部１７７は、輝度情報が示す輝度範囲がＨＤＲであって、入力部１２から映像設定画面の表示を指示する操作信号が入力されるとき、記憶部１６からＨＤＲ映像設定画面データを読み取る。表示制御部１７７は、読み取ったＨＤＲ映像設定画面データを映像処理部１７４に出力する。表示制御部１７７は、輝度情報が示す輝度範囲がＳＤＲであって、入力部１２から映像設定画面の表示を指示する操作信号が入力されるとき、記憶部１６からＳＤＲ映像設定画面データを読み取る。表示制御部１７７は、読み取ったＳＤＲ映像設定画面データを映像処理部１７４に出力する。即ち、表示制御部１７７は、輝度範囲の変更に応じて表示させる映像設定画面を変更する。
【００４３】
選局部１７８は、入力部１２から入力された操作信号から放送信号を受信するチャンネルを識別する。選局部１７８は、識別したチャンネルを指示する選局信号を生成し、生成した選局信号を放送受信部１１に出力する。
【００４４】
レベル制御部１７９は、ＳＩ処理部１７６から入力された輝度情報と番組情報に基づいて放送映像の信号レベルを制御する。レベル制御部１７９は、輝度情報が示す輝度範囲が変化し、かつ番組情報が示す番組が変更されるとき、映像処理部１７４に設定する輝度範囲の設定を変更前の前記輝度範囲から変更後の輝度範囲に即座に切り替える。この場合、レベル制御部１７９は、切り替えた輝度範囲の設定を映像処理部１７４に出力する。
他方、表示制御部１７７は、輝度情報が示す輝度範囲が変化し、かつ番組情報が示す番組が変更されないとき、変更前の輝度範囲から変更後の輝度範囲に輝度範囲の設定を漸次変更する。この場合、レベル制御部１７９は、フレーム毎に定めた輝度範囲の設定を逐次に映像処理部１７４に出力する。これにより、レベル制御部１７９は、映像処理部１７４に、放送映像の信号レベルの範囲を自部が定めた輝度範囲に応じた信号レベルの範囲に定めることができる。
【００４５】
（輝度範囲の時間変化）
次に、放送番組を構成する映像の輝度範囲の時間変化の例について説明する。
図１０は、映像の輝度範囲の時間変化の例を示す図である。
図１０に示す例では、時刻ｔ０から時刻ｔ１までＳＤＲ映像を含む番組Ａが、時刻ｔ１から時刻ｔ６まで番組Ｂが、時刻ｔ６からｔ７までＳＤＲ映像を含む番組Ｃが放送される。番組Ｂ内では、映像の輝度範囲が切り替わる。輝度範囲は、番組の一部であるコーナー（セグメントとも呼ばれる）の切り替わりに応じて変化することもある。図１０に示す例では、輝度範囲は、時刻ｔ２、ｔ４、ｔ６においてＨＤＲからＳＤＲに、時刻ｔ３、ｔ５においてＳＤＲからＨＤＲに切り替わる。
【００４６】
図１０において、時刻ｔ１、ｔ７に付された▲印は、レベル制御部１７９が輝度範囲の設定を即座に変更するタイミングであることを示す。これらの時刻では、ＳＩ情報で通知される輝度範囲の変更が番組の変更に伴う。時刻ｔ２、ｔ３、ｔ４、ｔ５に付された△印は、レベル制御部１７９が輝度範囲の設定を、所定の時間τ（例えば、２〜３秒）をかけて漸次変更するタイミングであることを示す。以下の説明では、時間τを輝度遷移時間と呼ぶ。
なお、輝度範囲の変化に応じたグラフィック画面（輝度変化警告画面の表示、映像設定画面）の切替については、表示制御部１７７は、番組の変更に伴うか否かに関わらず一律に行ってもよい。
【００４７】
（輝度範囲の制御）
次に、本実施形態に係るレベル制御部１７９による輝度範囲の制御について説明する。
図１１は、本実施形態に係る輝度範囲の制御例を示す図である。図１１に示す例では、時刻ｔ３においてＳＩ情報で指示される輝度範囲が番組の変更を伴わずにＳＤＲからＨＤＲに切り替わるときを例にする。この例において、レベル制御部１７９は、時刻ｔ３から時刻ｔ３＋τにかけて輝度範囲をＳＤＲ（０〜３００ｃｄ／ｍ２）からＨＤＲ（０〜６０００ｃｄ／ｍ２）まで徐々に拡大する（参照：図１１（ａ））。レベル制御部１７９は、例えば、映像データを構成する信号レベルの最大値を、ＳＤＲの信号レベルの最大値に相当する輝度（３００ｃｄ／ｍ２）に対応する信号レベル（図１１（ｂ）に示す例では、５０％）からＨＤＲの信号レベルの最大値に相当する輝度（６０００ｃｄ／ｍ２）に対応する信号レベル（図１１（ｂ）に示す例では、１００％）まで徐々に変化させる。この変化は、時間変化に対して連続的、例えば、線形であればよい。連続的とは、必ずしも数学的に連続であることを意味するものではなく、輝度が連続的に変化すると知覚されれば足りる。例えば、信号レベルの最大値の変化率（つまり、互いに隣接するフレーム間での変化量）が、所定の変化率の閾値よりも低ければよい。レベル制御部１７９は、定めた最大値を逐次に映像処理部１７４に設定する。映像処理部１７４は、復号した画素毎の信号値のうち、設定された最大値を超える信号値が検出されるとき、その信号値を最大値と定めることによって（クリッピング）、所定の最小値から設定された最大値までの間に制限する。
【００４８】
他方、レベル制御部１７９は、ＳＩ情報で指示される輝度範囲が番組の変更を伴わずにＨＤＲからＳＤＲに変化する場合、上述したように信号レベルの最大値をＨＤＲの最大値からＳＤＲの最大値まで、輝度遷移時間τをかけて連続的に変化させてもよい。但し、レベル制御部１７９は、これらの処理を、ＨＤＲからＳＤＲへの輝度範囲がなされる時刻（例えば、時刻ｔ４）よりも輝度遷移時間τだけ早い時刻に開始する。
【００４９】
なお、送信装置２０が送信する映像データには、特定のディスプレイ装置におけるＥＯＴＦ（基準ＥＯＴＦ）の特性を相殺するために信号値に予めＯＥＴＦ（光電伝達関数）がかけられていることがある。表示部１５からの最終の出力値（輝度）が映像データの当初の入力値の一定の倍率となるように、レベル制御部１７９は、制限された信号値について所定の補正係数を用いて補正する。この補正は、ガンマ補正と呼ばれることがある。補正係数は、入力値と出力値との関係を示す変換テーブルとして与えられてもよい。ＳＤＲとＨＤＲとでは、補正係数が異なることがある。例えば、レベル制御部１７９は、ＳＤＲからＨＤＲへの輝度範囲の変更が指示される時刻ｔ３においてＳＤＲの補正係数をＨＤＲの補正係数に即座に切り替えてもよい。また、レベル制御部１７９は、ＨＤＲからＳＤＲへの輝度範囲の変更が指示される時刻ｔ４においてＨＤＲの補正係数をＳＤＲの補正係数に即座に切り替えてもよい。
レベル制御部１７９は、最大値を制限した信号値に対応する補正係数を用いて信号値を補正する。
【００５０】
次に、本実施形態に係る輝度範囲の制御について説明する。
図１２は、本実施形態に係る輝度範囲の制御を示すフローチャートである。
（ステップＳ１０１）分離部１７２は、受信した放送信号で搬送された多重化データからサービス情報を分離する。ＳＩ処理部１７６は、分離されたサービス情報を解析して輝度情報と番組情報を取得する。その後、ステップＳ１０２の処理に進む。
（ステップＳ１０２）レベル制御部１７９は、輝度情報が示す輝度範囲がＨＤＲからＳＤＲに、またはＳＤＲからＨＤＲに変化したか否かを判定する。変化したと判定されたとき（ステップＳ１０２  ＹＥＳ）、ステップＳ１０３の処理に進む。変化していないと判定されたとき（ステップＳ１０２  ＮＯ）、ステップＳ１０１の処理に戻る。
【００５１】
（ステップＳ１０３）レベル制御部１７９は、番組情報を参照して、その時点まで放送された番組が終了し新たな番組が開始されたか否かを判定する。開始されたと判定されたとき（ステップＳ１０３  ＹＥＳ）、ステップＳ１０４の処理に進む。開始されていないと判定されたとき（ステップＳ１０３  ＮＯ）、ステップＳ１０５の処理に進む。
（ステップＳ１０４）レベル制御部１７９は、映像の輝度範囲の設定を変化前の輝度範囲の設定から変化後の輝度範囲の設定に即座に切り替える。その後、ステップＳ１０１の処理に戻る。
（ステップＳ１０５）レベル制御部１７９は、映像の輝度範囲の設定を変化前の輝度範囲の設定から変化後の輝度範囲の設定に所定の輝度遷移時間τをかけて徐々に変化させる。その後、ステップＳ１０１の処理に戻る。
【００５２】
（変形例）
本実施形態に係る輝度範囲の制御は、以下に説明するように行われてもよい。
（Ｉ）ＳＩ情報で指示される輝度範囲がＨＤＲからＳＤＲに縮小する場合における輝度遷移時間τＨＳは、ＳＤＲからＨＤＲに拡大する場合における輝度遷移時間τＳＨよりも短くてもよい。例えば、輝度遷移時間τＳＨが２秒である場合、輝度遷移時間τＨＳが０．５秒以下であってもよい。また、ＳＩ情報で指示される輝度範囲がＨＤＲからＳＤＲに縮小する場合には、レベル制御部１７９は、輝度範囲の設定を即座に切り替えてもよい。
これは、輝度やコントラストが急激に増加する原因である輝度範囲のＳＤＲからＨＤＲへの輝度範囲の拡大の方が、安全設計として設定を徐々に変化させる必要性が高いためである。一般に、人間の視覚特性によれば輝度やコントラストの増加の方が、減少よりも視聴者に対する印象が強いので、視聴者に対する違和感や体調不良の原因としてより著しいためである。また、輝度範囲がＨＤＲからＳＤＲに縮小する場合には、その処理の開始を、輝度範囲をＨＤＲからＳＤＲに変化する時刻（例えば、時刻ｔ４）よりも輝度遷移時間τＨＳだけ早い時刻（例えば、時刻ｔ４−τＨＳ）に受信した映像データについて適用する必要があるので、少なくとも輝度遷移時間τＨＳだけ処理の開始を遅延させる必要がある。輝度遷移時間τＨＳを短縮もしくは解消することで、放送信号の受信から映像の表示までにかかる遅延時間が短縮される。
【００５３】
（ＩＩ）レベル制御部１７９は、ＳＩ情報に含まれる輝度情報を所定時間毎に逐次に取得し、その時点までに取得した複数回の輝度情報を用いて輝度範囲の変化を判定してもよい。ここで、レベル制御部１７９は、例えば、輝度情報が示す輝度範囲が変化した後、変化後の輝度範囲が所定回数（判定回数）繰り返されたとき、その輝度範囲への輝度範囲の変化を確定する。レベル制御部１７９は、確定した輝度範囲の変化に基づいて上述したように輝度範囲の設定を変更する。これにより、レベル制御部１７９は、ノイズ、伝送誤り等による一時的な輝度情報のエラーによる無用な輝度範囲の変化を回避することができる。
その際、輝度範囲がＨＤＲからＳＤＲに縮小することを判定するための判定回数よりも、輝度範囲がＳＤＲからＨＤＲに拡大することを判定するための判定回数の方が多くてもよい。判定回数を多くすることで輝度範囲の縮小よりも拡大に係る判定がより困難になるので、視聴者に対する違和感や体調不良を回避するための安全設計として、より効果的となる。
【００５４】
上述では、受信装置１０が、主に放送信号で搬送された映像データに基づく放送番組の映像を表示する場合を例にしたが、上述した輝度範囲の制御は、予め記憶部１６に記録された映像データに基づく映像を表示する場合に適用されてもよい。その場合、映像処理部１７４は、分離部１７２から映像データと当該映像データに対応したサービス情報が入力されることに代え、録画再生の指示を示す操作信号の入力部１２からの入力に応じて映像データとサービス情報を記憶部１６から読み出す。その場合、ＳＩ処理部１７６も、分離部１７２から当該サービス情報が入力されることに代え、記憶部１６に記憶された当該サービス情報を取得する。
【００５５】
なお、予め制作された映像データでは、通例、輝度情報が示す輝度範囲の変化が生じない。また、輝度範囲の変化が生じたとしても、その変化は頻繁ではない。そこで、表示制御部１７７は、メニュー画面を表示させ、入力部１２からの操作信号に基づいて次の制御モードのいずれかを選択してもよい。（ｉ）モード１：輝度範囲の変化に応じて輝度遷移時間τかけて輝度範囲の設定を漸次変更、（ｉｉ）モード２：輝度範囲の変化に応じて輝度範囲の設定を即座に変更、（ｉｉｉ）モード３：輝度範囲の変化を無視し、一定の輝度範囲の設定を使用。表示制御部１７７は、選択した制御モードをレベル制御部１７９に設定し、レベル制御部１７９は、設定されたレベル制御モードに従って上述した輝度範囲の制御を行う。
【００５６】
以上に説明したように、本実施形態に係る受信装置１０は、コンテンツのサービス情報から、コンテンツに含まれる映像の輝度情報を取得するＳＩ処理部１７６を備える。また、受信装置１０は、輝度情報が示す輝度範囲の変化に応じて輝度範囲の設定を変更する際、コンテンツが変更しないとき、コンテンツが変更するときよりも緩やかに輝度範囲の設定を変更するレベル制御部１７９を備える。また、受信装置１０は、レベル制御部１７９が定めた輝度範囲の設定に基づいて映像を表示する表示部１５を備える。
この構成によれば、コンテンツの切替に伴う輝度範囲の変更よりも、コンテンツの途中における指示に伴う輝度範囲の変化が緩和される。そのため、コンテンツ視聴中における輝度の急激な変化や、エラー等による無用な輝度範囲の変更による輝度の急激な変化を原因とする視聴者の違和感や体調不良を防止又は緩和することができる。
【００５７】
また、レベル制御部１７９は、コンテンツが変更するとき、変更前の輝度範囲の設定を即座に変更後の輝度範囲の設定に変更する。
この構成によれば、さらにコンテンツの切替による輝度範囲の変更に即応することで、視聴者に対する印象が強いコンテンツの冒頭部分において放送事業者やコンテンツ制作者が意図した輝度範囲でコンテンツを視聴させることができる。
【００５８】
また、レベル制御部１７９は、輝度情報が示す輝度範囲が拡大するとき、輝度情報が示す輝度範囲が縮小するときよりも長い時間かけて輝度範囲の設定を変更する。
この構成によれば、視聴者の違和感や体調不良の主な原因となる輝度の急激な増加を緩和するとともに、視聴者の違和感や体調不良への輝度範囲の縮小にかかる処理時間を短縮することができる。処理時間の短縮により、極力放送事業者やコンテンツ製作者が意図した輝度範囲で視聴者にコンテンツを視聴させることができる。
【００５９】
また、レベル制御部１７９は、輝度情報を逐次に取得し、輝度情報が示す輝度範囲の繰り返しに基づいて輝度範囲の変化を確定する。
この構成によれば、輝度情報の設定誤りや伝送誤りなどによる無用な輝度範囲の変化を抑制することができる。そのため、無用な輝度の急激な変化による視聴者の違和感や対象不良の発生を抑制することができる。
【００６０】
また、レベル制御部１７９は、輝度範囲の変化後の輝度範囲の繰り返し回数が所定の回数以上であるとき、輝度範囲の変化を確定し、輝度範囲の縮小に係る所定の回数よりも、輝度範囲の拡大に係る所定の回数が多い。
この構成によれば、視聴者の違和感や体調不良の主な原因となる無用な輝度の急激な増加を抑制することができる。
【００６１】
［第２の実施形態］
次に、本発明の第２の実施形態について説明する。上述した実施形態と同一の構成、処理については、同一の符号を付してその説明を援用する。
本実施形態に係る放送システム１は、図１に示すように受信装置１０と送信装置２０とを含んで構成される。本実施形態に係る送信装置２０は、放送される映像の輝度情報を示す輝度フラグとして、その時点の映像の輝度情報を示す現状フラグと、その時点から所定の時間後における映像の輝度情報を示す予告フラグとをサービス情報に含めて放送伝送路ＢＴに送出する。受信装置１０は、放送伝送路ＢＴを介して受信したサービス情報から現状フラグと予告フラグとを取得する。受信装置１０は、現状フラグが示す輝度範囲から予告フラグが示す輝度範囲が異なるとき、輝度範囲の設定を現状フラグが示す輝度範囲の設定から所定の時間後までの間に予告フラグが示す輝度範囲の設定まで漸次に変化させる。
受信装置１０は、変化させた輝度範囲の設定に基づいて定めた輝度で、放送信号で搬送された映像データに係る映像を表示させる。
【００６２】
（予告フラグ）
次に、予告フラグについて説明する。予告フラグは、その時点から所定の時間ΔＴ（例えば、５秒）後における輝度範囲の変化を示す輝度情報である。これに対し、現状フラグは、上述した輝度フラグに相当する。図１３は、時刻ｔ１２から時刻ｔ１３までの間、ＳＤＲ映像で構成されるＣＭが放送され、時刻ｔ１３からＨＤＲ映像で構成される番組が放送される場合を例示する。この例では、時刻ｔ１３−ΔＴにおいて予告フラグが提供される。この予告フラグは、時刻ｔ１３−ΔＴから所定の時間ΔＴ後の時刻ｔ１３において、映像の輝度範囲がＳＤＲからＨＤＲに変化することを示す情報である。レベル制御部１７９は、予告フラグを参照して後述する輝度範囲の制御を行うことで輝度範囲の変化に伴う輝度の急激な変化を緩和する。
【００６３】
予告フラグは、サービス情報に含めて伝送される。送信装置２０のサービス情報取得部２１０（図４）は、送信装置２０の外部から予告フラグを含んだサービス情報が入力されてもよいし、独自に生成してもよい。サービス情報取得部２１０は、放送コンテンツ取得部２２０から各時刻に放送される放送番組の放送番組データを取得し、放送番組データに含まれる映像データの輝度情報を参照して輝度範囲が変化する時刻を特定する。そして、サービス情報取得部２１０は、特定した時刻（図１３に示す例では、時刻ｔ１３）について、その時刻よりも所定の時間ΔＴ前の時刻（図１３に示す例では、時刻ｔ１３−ΔＴ）について、特定した時刻における輝度範囲の変化を示す予告フラグを生成する。サービス情報取得部２１０は、生成した予告フラグを、例えば、所定の時間ΔＴ前の時刻に送出されるＭＰＴの映像コンポーネント記述子に含める。
【００６４】
（グラフィック画面の表示）
表示制御部１７７（図９）は、ＳＩ処理部１７６から予告フラグが入力されるとき、予告フラグで変更が指示される輝度範囲への変更に係る輝度変化警告画面を表示部１５に表示させてもよい。ここで、表示制御部１７７は、変更後の輝度範囲に係る輝度変化警告画面データを記憶部１６から読み出し、読み出した輝度変化警告画面データを映像処理部１７４に出力する。これにより、その時点における輝度範囲からの輝度範囲の変更が視聴者に通知される。
また、表示制御部１７７は、予告フラグが入力された後、映像設定画面の表示を指示する操作信号が入力されるとき、予告フラグが示す変更後の輝度範囲に係る映像設定画面を表示部１５に表示させてもよい。ここで、表示制御部１７７は、変更後の輝度範囲に係る映像設定画面データを表示部１５から読み出し、読み出した映像設定画面データを映像処理部１７４に出力する。これにより、輝度範囲の変更により無用となる輝度範囲での設定操作を回避し、新たな輝度範囲での設定操作を促すことができる。
【００６５】
（輝度範囲の制御）
次に、本実施形態に係るレベル制御部１７９（図９）による輝度範囲の制御について説明する。図１４は、本実施形態に係る輝度範囲の制御例を示す図である。図１４に示す例では、時刻ｔ１３においてコンテンツがＣＭから所定の番組に変更されることに伴い、ＳＩ情報で指示される輝度範囲がＳＤＲからＨＤＲに拡大され、時刻ｔ１４においてコンテンツが当該番組から他の所定の番組に変更されることに伴い、ＳＩ情報で指示される輝度範囲がＨＤＲからＳＤＲに縮小される。他方、時刻ｔ１３におけるＨＤＲからＳＤＲへの輝度範囲の変化を示す予告フラグが時刻ｔ１３−ΔＴにおいて設定され、時刻ｔ１４におけるＳＤＲからＨＤＲへの輝度範囲の変化を示す予告フラグが時刻ｔ１４−ΔＴにおいて設定される。
【００６６】
そこで、レベル制御部１７９は、時刻ｔ１３−ΔＴにおいてＳＩ処理部１７６から予告フラグが入力されるとき、表示部１５が表示可能な輝度の最大値をＳＤＲの基準値（例えば、３００ｃｄ／ｍ２）から所定の制御値（例えば、１００ｃｄ／ｍ２）に所定の時間ΔＴをかけて漸次低下させる処理を開始する。これにより、時刻ｔ１３に開始されるＨＤＲ映像の輝度範囲は、０〜２０００ｃｄ／ｍ２となり、制御されない場合における輝度範囲である０〜６０００ｃｄ／ｍ２よりも縮小する。そのため、時刻ｔ１３−ΔＴからｔ１３までの輝度の変化が、制御を行わない場合よりも緩和される。
【００６７】
他方、レベル制御部１７９は、時刻ｔ１４−ΔＴにおいてＳＩ処理部１７６から入力される予告フラグを無視する。レベル制御部１７９は、時刻ｔ１４において表示部１５が表示可能な輝度の最大値をＳＤＲの基準値（例えば、１００ｃｄ／ｍ２）から所定の制御値（例えば、３００ｃｄ／ｍ２）に所定の時間ΔＴをかけて漸次増加させる処理を開始する。これにより、時刻ｔ１４まで表示されるＨＤＲ映像の輝度範囲は、０〜２０００ｃｄ／ｍ２となる。そのため、時刻ｔ１４からｔ１４＋ΔＴまでの輝度の変化が、制御を行わない場合よりも緩和される。
【００６８】
レベル制御部１７９は、映像の輝度範囲を制御するために、例えば、輝度範囲の設定として表示部１５を構成する増幅回路（アンプ）の増幅率を制御する。増幅回路は、入力された画素毎の信号値に応じた電圧値を増幅して当該画素に出力する回路である。図１４に示す例では、レベル制御部１７９は、表示部１５に設定する増幅率を時刻ｔ１３−ΔＴから時刻ｔ１３にかけて基準値から基準値の１／３まで線形に低下させる。レベル制御部１７９は、現状フラグが入力される時刻である時刻ｔ１４から時刻ｔ１４＋ΔＴにかけて基準値の１／３から元の基準値まで線形に増加させる。
【００６９】
但し、図１４に示す例では、ＨＤＲ映像の輝度範囲は、０〜２０００ｃｄ／ｍ２であるので、本来期待される輝度範囲０〜６０００ｃｄ／ｍ２よりも狭い。そこで、レベル制御部１７９は、現状フラグで指定される輝度範囲がＳＤＲからＨＤＲに変化したとき、輝度範囲を縮小させた輝度範囲の設定を本来の輝度範囲の設定に所定の時間ΔＴをかけて漸次に変化させる。レベル制御部１７９は、輝度範囲がＨＤＲからＳＤＲへの輝度範囲の変化を示す予告フラグが入力されるとき、本来の輝度範囲の設定を、輝度範囲を縮小させる設定に所定の時間ΔＴをかけて漸次に変化させる。
【００７０】
図１５に示す例では、レベル制御部１７９は、現状フラグが入力される時刻ｔ１３から時刻ｔ１３＋ΔＴにかけて輝度範囲を縮小させていた輝度範囲の設定を本来の設定に漸次に変化させる。また、レベル制御部１７９は、時刻ｔ１４−ΔＴから時刻ｔ１４にかけて輝度範囲の設定を、輝度範囲を縮小させる設定に所定の時間ΔＴをかけて漸次に変化させる。これにより、輝度範囲の変化が緩和するとともに、ＨＤＲ映像が本来期待される輝度範囲０〜６０００ｃｄ／ｍ２で表示される。
【００７１】
なお、レベル制御部１７９は、ガンマ補正に係る補正係数については、予告フラグで指示される輝度範囲の変更に係る時刻（例えば、時刻ｔ１３）において、変更後の輝度範囲に係る補正係数を映像処理部１７４に設定してもよい。このとき、その時刻までに設定された補正係数が、復号される映像データの形式に応じた補正係数に即座に切り換わる。
【００７２】
（輝度範囲の時間変化）
図１６は、映像の輝度範囲の時間変化の例を示す図である。
図１６に示す例では、時刻ｔ２０からｔ２１まで番組Ａが放送され、時刻ｔ２１からｔ２４まで番組Ｂが放送され、時刻ｔ２４からｔ２７まで番組Ｃがそれぞれ放送される。番組Ａでは、時刻ｔ２０からｔ２１までの全区間についてＳＤＲ映像が放送される。番組Ｂでは、時刻ｔ２１からｔ２２までの区間と、時刻ｔ２３からｔ２４までの区間においてＨＤＲ映像が放送される。時刻ｔ２２からｔ２３までの区間においてＳＤＲ映像で構成されるＣＭが挿入される。番組Ｃでは、時刻ｔ２４からｔ２５までの区間と、時刻ｔ２６からｔ２７までの区間においてＳＤＲ映像が放送される。時刻ｔ２５からｔ２６までの区間においてＨＤＲ映像で構成されるＣＭが挿入される。時刻ｔ２５からｔ２６までの時間は、３０秒である。
【００７３】
図１６において、時刻ｔ２１−ΔＴ、時刻ｔ２２−ΔＴ、時刻ｔ２３−ΔＴ、時刻ｔ２４−ΔＴに付された□印は、受信装置１０が予告フラグを受信する時刻である。これらの予告フラグに基づいて、レベル制御部１７９は、図１４もしくは図１５を用いて説明した輝度範囲の制御を行う。レベル制御部１７９は、時刻ｔ２１−ΔＴにおける予告フラグの取得に応じて、例えば、時刻ｔ２１−ΔＴから時刻ｔ２１まで輝度範囲を縮小する設定に漸次変更し、時刻ｔ２１から時刻ｔ２１−ΔＴまで輝度範囲を拡大する設定に漸次変更する（図１５参照）。
【００７４】
表示制御部１７７は、予告フラグの受信に応じて予告フラグで指定された輝度範囲への変化を示す輝度変化警告画面を表示部１５に表示させる。また、表示制御部１７７は、映像設定画面の表示を指示する操作信号が入力されるとき、表示制御部１７７は、予告フラグで指示される変更後の輝度範囲に係る映像設定画面を表示部１５に表示させる。
【００７５】
なお、予告フラグは、さらに継続時間の情報を含み、指定された継続時間だけ輝度範囲の変更を示す情報であってもよい。図１６に示す例では、時刻ｔ２５−ΔＴにおいて受信される予告フラグに、時刻ｔ２５からｔ２６までの継続時間（３０分）の情報を含む。レベル制御部１７９は、時刻ｔ２５−ΔＴにおいて、輝度範囲をＳＤＲからＨＤＲに変更する際の輝度範囲の制御を開始する他、塗りつぶしの四角形で示される時刻である時刻ｔ２６−ΔＴにおいて、輝度範囲をＨＤＲから元の輝度範囲であるＳＤＲに戻す際の輝度範囲の制御を開始する。また、時刻ｔ２６は、ＣＭの放送開始時刻である時刻ｔ２５から継続時間である３０秒後である。この制御において、レベル制御部１７９は、時刻ｔ２６−ΔＴから時刻ｔ２６まで輝度範囲を縮小する設定に漸次変更し、時刻ｔ２６から時刻ｔ２６＋ΔＴまで輝度範囲を拡大する設定に漸次変更する（図１５参照）。これにより、特定のシーン、ＣＭのように継続時間が予め定められた映像（典型的には、１５秒、３０秒などの短時間）が放送される場合において、その終了時においてさらに予告フラグを設定する必要がなくなる。番組の編成における予告フラグの設定が簡素になる。
【００７６】
次に、本実施形態に係る輝度範囲の制御について説明する。
図１７は、本実施形態に係る輝度範囲の制御を示すフローチャートである。
図１７に示す処理において、ステップＳ１０１（図１２）の終了後、ステップＳ１１１の処理に進む。
（ステップＳ１１１）表示処理部１７５は、輝度情報に予告フラグが含まれているか否かを判定する。予告フラグが含まれていると判定されたとき（ステップＳ１１１  ＹＥＳ）、ステップＳ１１２の処理に進む。含まれていないと判定されたとき（ステップＳ１１１  ＮＯ）、ステップＳ１０１の処理に戻る。
（ステップＳ１１２）表示制御部１７７は、予告フラグで変更が指示される輝度範囲への変更に係る輝度変化警告画面（コーション画面）を表示部１５に表示させる。表示制御部１７７は、映像設定画面の表示を指示する操作信号が入力されるとき、予告フラグが示す変更後の輝度範囲に係る映像設定画面（メニュー切替）を表示部１５に表示させる。その後、ステップＳ１１３に進む。
【００７７】
（ステップＳ１１３）レベル制御部１７９は、輝度情報の変更時刻までに所定の時間をかけて輝度範囲を縮小する設定に漸次変更する。その直後において、レベル制御部１７９は、所定の時間をかけて輝度範囲を拡大する設定に漸次変更してもよい（図１５）。その後、ステップＳ１１４に進む。
（ステップＳ１１４）レベル制御部１７９は、取得した予告フラグに映像継続時間の情報が含まれていたが否かを判定する。含まれていると判定されたとき（ステップＳ１１４  ＹＥＳ）、ステップＳ１１５に進む。含まれていないと判定されたとき（ステップＳ１１４  ＮＯ）、ステップＳ１０１に戻る。
（ステップＳ１１５）レベル制御部１７９は、輝度情報の変更時刻から予告フラグで変更が指示された継続時間の経過後（次の輝度情報の変更時刻）までに所定の時間をかけて輝度範囲を縮小する設定に漸次変更する。但し、ステップＳ１１３において輝度範囲を拡大する設定に変更する処理が行わない場合には、この処理は省略される。レベル制御部１７９は、輝度情報の変更時刻から予告フラグで変更が指示された継続時間の経過後において、所定の時間をかけて輝度範囲を拡大する設定（元の設定）に漸次変更する。その後、ステップＳ１０１に戻る。
【００７８】
なお、上述した説明では、輝度範囲を拡大する設定に変更する時間と輝度範囲を縮小する設定に変更する時間がともにΔＴである場合を例にしたが、これには限られない。いずれもΔＴよりも短い時間であって視聴者への違和感や体調の不調を緩和するのに十分な時間、例えば、２〜３秒であればよい。また、輝度範囲を拡大する設定に変更する時間よりも輝度範囲を縮小する設定に変更する時間の方が短くてもよい。
また、輝度範囲の設定を変更する時間において、輝度範囲がＳＤＲからＨＤＲに変化する場合の方が、輝度範囲がＨＤＲからＳＤＲに変化する場合よりも長くてもよい。上述したように、輝度やコントラストの急激に増加する原因となる輝度範囲の拡大の方が、輝度範囲の縮小よりも安全設計として設定を徐々に変化させる必要性が高いためである。
【００７９】
また、上述した説明では、現状フラグとは別個の予告情報として予告フラグが設けられる場合を例にしたが、これには限られない。例えば、番組情報として用いられるＭＨ−ＥＩＴに映像コンポーネント記述子が記述されている場合、レベル制御部１７９及び表示制御部１７７は、映像コンポーネント記述子に設定される輝度フラグを、輝度範囲の変化の予告情報として利用してもよい。ＭＨ−ＥＩＴでは、番組または番組よりも細かい単位であるセグメント毎に、その構成要素である映像の開始時間、継続時間と対応付けて映像コンポーネント記述子が記述されることがあるためである。レベル制御部１７９及び表示制御部１７７は、輝度フラグを取得する際、記憶部１６に形成しておいた輝度情報テーブル（後述）から読み取ってもよい。
【００８０】
以上に説明したように、本実施形態に係る受信装置１０は、コンテンツのサービス情報から、現時点の映像の輝度情報を示す現状情報と、現時点から所定時間後の映像の輝度情報を示す予告情報とを取得するＳＩ処理部１７６を備える。また、受信装置１０は、現時点の映像の輝度範囲から予告情報が示す輝度範囲が変化するとき、予告情報が示す輝度範囲の変化よりも緩やかに輝度範囲を変化させるレベル制御部１７９を備える。また、受信装置１０は、レベル制御部１７９が定めた輝度範囲で映像を表示する表示部１５を備える。
この構成によれば、予定されている輝度範囲の変化前に、輝度範囲の変化を緩和するための処理を開始することができる。そのため、処理の遅延を生じずに輝度の変化を緩和することで、視聴者の違和感や体調不良を防止又は緩和することができる。
【００８１】
また、レベル制御部１７９は、現時点の映像の輝度範囲から予告情報で指示される輝度範囲が拡大するとき、予告情報で指示される輝度範囲が縮小するときよりも長い時間をかけて輝度範囲を変更する。
この構成によれば、視聴者の違和感や体調不良の主な原因となる輝度範囲の拡大を緩和するとともに、視聴者の違和感や体調不良への輝度範囲の縮小において、その処理時間を短縮することができる。処理時間の短縮により、極力放送事業者やコンテンツ製作者が意図した輝度範囲でコンテンツを視聴させることができる。
【００８２】
また、レベル制御部１７９は、現時点の映像の輝度範囲よりも予告情報が示す輝度範囲が広いとき、映像の最大輝度を所定時間後までに、所定の輝度まで漸次低下させる。
この構成によれば、予告情報で指示される所定時間後における輝度の急激な増加を緩和することができる。そのため、視聴者の違和感や体調不良が防止又は緩和される。
【００８３】
また、レベル制御部１７９は、所定の輝度までの輝度の低下を、所定時間後から漸次解除する。
この構成によれば、輝度の増加に伴う再度の視聴者の違和感や体調不良を防止又は緩和するとともに、極力放送事業者やコンテンツ製作者が意図した輝度範囲でコンテンツを視聴させることができる。
【００８４】
また、予告情報が示す輝度情報に有効な継続時間がさらに設定されているとき、前記レベル制御部は、所定の輝度までの輝度の低下を、前記所定時間後のさらに前記継続時間後から漸次解除する。
この構成によれば、予告情報をさらに設定する必要がなくなるので、予告情報の設定が簡素になる。そのため、番組の編成に応じたサービス情報の設定に係る処理や作業が軽減される。
【００８５】
また、受信装置１０は、予告情報が示す輝度範囲が変化するとき、輝度範囲の変化を通知させる表示制御部、をさらに備える。
この構成によれば、輝度範囲の変化が視聴者に予告されるので、視聴者において輝度の急激な変化を回避する行動、例えば、視聴を避けることが促される。
【００８６】
［第３の実施形態］
次に、本発明の第３の実施形態について説明する。上述した実施形態と同一の構成、処理については、同一の符号を付してその説明を援用する。
本実施形態に係る放送システム１は、図１に示すように受信装置１０と送信装置２０とを含んで構成される。受信装置１０は、放送番組に関するサービス情報から、各チャンネルで提供される放送番組に含まれる映像の輝度情報を取得する。受信装置１０は、取得した輝度情報を参照して、現時点で受信するコンテンツの輝度範囲から、選局されるチャンネルで受信するコンテンツの映像の輝度範囲が変更されるか否かを判定する。変更されると判定されるとき、受信装置１０は、輝度範囲の設定を変更後の輝度範囲の設定に漸次変更し、変更した設定を用いて映像を表示する。
【００８７】
本実施形態に係る送信装置２０のサービス情報取得部２１０（図４）は、番組情報として映像コンポーネント記述子が記述されたＭＨ−ＥＩＴを含むサービス情報を取得する。
映像コンポーネント記述子には、上述したように輝度フラグが設定される。ＭＨ−ＥＩＴでは、番組またはセグメント毎に、その構成要素である映像の開始時間、継続時間と対応付けて映像コンポーネント記述子が記述される。従って、ＭＨ−ＥＩＴでは、番組またはセグメント毎に、その映像の輝度範囲を示す輝度情報として輝度フラグが対応付けられる。
【００８８】
本実施形態に係る受信装置１０においてＳＩ処理部１７６（図９）は、分離部１７２から入力されたＭＨ−ＥＩＴからチャンネル毎の番組もしくはセグメントと、開始時間、継続時間及び輝度フラグのセットを抽出する。ＳＩ処理部１７６は、抽出したセットをチャンネル毎に開始時間の順に記憶部１６に記憶することによって、輝度情報テーブルを形成する。
放送受信部１１は、複数チャンネルの放送信号を並列に受信することができるチューナーを備える。放送受信部１１は、受信した放送信号のうち選局部１７８からの選局信号で指定されるチャンネルに対応する放送信号を復調部１７１に出力する。
また、映像処理部１７４は、映像データを復号する復号部として、分離部１７２から入力されるＳＤＲ映像データを復号して復号されたＳＤＲ映像データを取得するＳＤＲ復号部と、ＨＤＲ映像データを復号して復号されたＨＤＲ映像データを取得するＨＤＲ復号部を備えてもよい。そして、映像処理部１７４は、復号されたＨＤＲ映像データ、ＳＤＲ映像のそれぞれについて、ＨＤＲ、ＳＤＲに対応した補正係数を用いてガンマ補正を行ってもよい。
この構成により、１チャンネルの放送信号のみしか受信できないことにより、チャンネルの切り替え直後に生じる映像の中断や、輝度範囲の変更によって生じる映像の中断を解消することができる。
【００８９】
レベル制御部１７９は、記憶部１６に記憶された輝度情報テーブルを参照して、選局されているチャンネルにおいて、その時点において番組もしくはセグメントの切り替わりに伴って輝度情報が示す輝度範囲が変更されるか否かを判定する。また、レベル制御部１７９において、選局部１７８から入力される選局信号で指定されるチャンネルが、その時点において選局されているチャンネルから切り替わる場合がある。その場合、レベル制御部１７９は、変更後のチャンネルにおける輝度情報が示す輝度範囲が、変更直前のチャンネルにおける輝度情報が示す輝度範囲から変更されるか否かを判定する。
【００９０】
レベル制御部１７９は、輝度範囲が変更されると判定するとき、変更前の輝度範囲から変更後の輝度範囲に所定の輝度遷移時間τをかけて輝度範囲の設定を漸次変更する。レベル制御部１７９は、輝度範囲の設定を変更する際、例えば、図１１を用いて説明したように、信号レベルの最大値を時間変化に対して連続的に変化させてもよい。レベル制御部１７９は、フレーム毎に定めた輝度範囲の設定を映像処理部１７４に出力する。映像処理部１７４は、上述したようにレベル制御部１７９から入力された輝度範囲の設定に基づいて映像データが示す信号レベルを調整することにより、表示部１５にその輝度範囲で映像を表示させる。
【００９１】
表示制御部１７７は、レベル制御部１７９が、輝度範囲が変更されると判定するとき、変更後の輝度範囲に係る輝度変化警告画面を表示部１５に表示させる。また、表示制御部１７７は、映像設定画面の表示を指示する操作信号が入力されるとき、表示制御部１７７は、変更後の輝度範囲に係る映像設定画面を表示部１５に表示させる。
【００９２】
（輝度範囲の時間変化）
図１８は、映像の輝度範囲の時間変化の例を示す図である。
図１８に示す例では、チャンネルＣＨ−１において、時刻ｔ３０からｔ３３まで番組１−Ａが放送され、時刻ｔ３３からｔ３５まで番組１−Ｂが放送される。チャンネルＣＨ−２において、時刻ｔ３０からｔ３１まで番組２−Ａが放送され、時刻ｔ３１からｔ３３まで番組２−Ｂが放送され、時刻ｔ３３からｔ３４まで番組２−Ｃが放送され、時刻ｔ３４からｔ３５まで番組２−Ｄが放送される。チャンネルＣＨ−３において、時刻ｔ３０からｔ３２まで番組３−Ａが放送され、時刻ｔ３２からｔ３４まで番組３−Ｂが放送され、時刻ｔ３４からｔ３５まで番組３−Ｃが放送される。これらの番組のうち、番組１−Ａ、１−Ｂ、２−Ａ、２−Ｂ、２−Ｄ及び番組３−ＡにおいてＳＤＲ映像が放送される。番組２−Ｃ、３−Ｂ、３−ＣにおいてＨＤＲ映像が放送される。
【００９３】
ここで、時刻ｔ３０からｔ３ｘまでの間、チャンネルＣＨ−３が選局され、時刻ｔ３ｘからｔ３５までの間、チャンネルＣＨ−１が選局される場合を例にする。
○印で示す時刻ｔ３２において、輝度情報テーブルを参照してチャンネルＣＨ−３について得られる輝度情報によれば、映像の輝度範囲がＳＤＲからＨＤＲに拡大する。このとき、レベル制御部１７９は、輝度範囲がＳＤＲからＨＤＲに変更されると判定する。レベル制御部１７９は、輝度範囲の設定としてＳＤＲの設定からＨＤＲの設定まで所定の輝度遷移時間τをかけて漸次変更する。表示制御部１７７は、輝度範囲がＨＤＲに変更されることを示す輝度変化警告画面を表示部１５に表示させる。また、映像設定画面の表示を指示する操作信号が入力される場合には、表示制御部１７７は、輝度範囲がＨＤＲである場合の映像設定画面を表示部１５に表示させる。
【００９４】
●印で示す時刻ｔ３ｘでは、レベル制御部１７９には、チャンネルＣＨ−３からＣＨ−１へのチャンネルの切替を指示する選局信号が入力される。輝度情報テーブルを参照してチャンネルＣＨ−１について得られる輝度情報によれば、映像の輝度範囲がＨＤＲからＳＤＲに縮小する。このとき、レベル制御部１７９は、輝度範囲がＨＤＲからＳＤＲに変更されると判定する。レベル制御部１７９は、輝度範囲の設定としてＨＤＲの設定からＳＤＲの設定まで所定の輝度遷移時間τをかけて漸次変更する。表示制御部１７７は、輝度範囲がＳＤＲに変更されることを示す輝度変化警告画面を表示部１５に表示させる。また、映像設定画面の表示を指示する操作信号が入力される場合には、表示制御部１７７は、輝度範囲がＳＤＲである場合の映像設定画面を表示部１５に表示させる。
【００９５】
次に、本実施形態に係る輝度範囲の制御について説明する。
図１９は、本実施形態に係る輝度範囲の制御を示すフローチャートである。
図１９に示す処理において、ステップＳ１０１（図１３）の終了後、ステップＳ１２１に進む。
（ステップＳ１２１）ＳＩ処理部１７６は、分離部１７２から入力されたＭＨ−ＥＩＴから抽出したチャンネル毎の番組もしくはセグメントと、開始時間、継続時間及び輝度フラグ（ＨＤＲ／ＳＤＲ情報）のセットを抽出する。ＳＩ処理部１７６は、抽出したセットをチャンネル毎に開始時間の順に記憶することにより、輝度情報テーブルを更新する。その後、ステップＳ１２１の処理に進む。
【００９６】
（ステップＳ１２２）レベル制御部１７９は、記憶部１６に記憶した輝度情報テーブルを参照して同一チャンネルにおいて時間経過により番組もしくはセグメントが切り替わったか否かを判定する。切り替わったと判定された場合（ステップＳ１２２  ＹＥＳ）、ステップＳ１２４に進む。切り替わっていないと判定された場合（ステップＳ１２２  ＮＯ）、ステップＳ１２３に進む。
（ステップＳ１２３）レベル制御部１７９は、選局部１７８から入力された選局信号が示すチャンネルが、その時点まで選局されていたチャンネルから切り替わるか否かを判定する。切り替わったと判定された場合（ステップＳ１２３  ＹＥＳ）、ステップＳ１２４に進む。切り替わっていないと判定された場合（ステップＳ１２３  ＮＯ）、ステップＳ１２２に戻る。
【００９７】
（ステップＳ１２４）レベル制御部１７９は、変更後のチャンネルで放送される映像の輝度情報が、変更前のチャンネルで放送された映像の輝度情報から切り替わったか否かを判定する。切り替わったと判定された場合（ステップＳ１２４  ＹＥＳ）、ステップＳ１２５に進む。切り替わっていないと判定された場合（ステップＳ１２４  ＮＯ）、ステップＳ１２２に戻る。
【００９８】
（ステップＳ１２５）表示制御部１７７は、切り替わったと判定された輝度範囲への変更に係る輝度変化警告画面（コーション画面）を表示部１５に表示させる。表示制御部１７７は、映像設定画面の表示を指示する操作信号が入力されるとき、切り替わったと判定された輝度範囲に係る映像設定画面（メニュー切替）を表示部１５に表示させる。その後、ステップＳ１２６に進む。
（ステップＳ１２６）レベル制御部１７９は、映像の輝度範囲の設定を変化前の輝度範囲に係る設定から変化後の輝度範囲の設定に所定の輝度遷移時間τをかけて徐々に変化させる。その後、ステップＳ１０１の処理に戻る。
【００９９】
なお、本実施形態において、レベル制御部１７９は、記憶部１６に記憶された輝度情報テーブルを参照して、その時点において番組もしくはセグメントの切り替わりを判定することに代え、その時点から所定の時間ΔＴ後における番組もしくはセグメントの切り替わりを判定してもよい。輝度範囲が変更されると判定された場合、レベル制御部１７９は、輝度範囲の設定をその時点までの映像の輝度範囲の設定から所定の時間ΔＴ後の映像の輝度範囲の設定まで漸次に変化させる。レベル制御部１７９は、輝度範囲の変更において、例えば、図１４又は図１５を用いて説明したように、輝度範囲の設定として表示部１５のゲインを時間変化に対して連続的に変化させてもよい。表示部１５は、レベル制御部１７９が設定したゲインで信号レベルを調整し、調整した信号レベルで映像を表示させる。
【０１００】
以上に説明したように、受信装置１０は、放送信号で伝送されたコンテンツのサービス情報から各チャンネルで提供される映像の輝度情報を取得するＳＩ処理部１７６を備える。また、受信装置１０は、輝度情報に基づいて、現時点の映像の輝度範囲から選局されるチャンネルで提供される映像の輝度範囲が変更されるか否かを判定し、輝度範囲が変更されると判定するとき、輝度範囲の設定を変更後の輝度範囲の設定に所定の時間をかけて変更するレベル制御部１７９を備える。また、受信装置１０は、レベル制御部１７９が定めた輝度範囲の設定に基づいて映像を表示する表示部１５を備える。
この構成により、予め取得した映像の輝度情報に基づいてチャンネルの変更に応じて生じる輝度範囲の変更の有無を判定することができる。そのため、チャンネルの変更に伴う輝度範囲の変更に係る処理の遅延を解消又は軽減するとともに、視聴者の違和感や体調不良を防止又は緩和することができる。
【０１０１】
また、受信装置１０は、複数のチャンネルの放送信号を受信し、前記複数のチャンネルの放送信号から前記選局されるチャンネルの放送信号を選択する放送受信部１１をさらに備える。
この構成により、チャンネルの切替に伴う映像の中断、再開を回避し、輝度範囲の変化が緩和された映像の表示を継続することができる。そのため、映像の中断、再開に伴う輝度の急激な変化による視聴者の違和感や体調不良を防止又は緩和することができる。
【０１０２】
また、受信装置１０は、輝度範囲が変更されるとき、輝度範囲の変化を通知させる表示制御部１７７、をさらに備える。
この構成により、チャンネルの切替に伴う輝度範囲の変化が視聴者に予告されるので、視聴者において輝度の急激な変化を回避する行動、例えば、視聴を避けることが促される。
【０１０３】
以上、この発明の実施形態について図面を参照して詳述してきたが、具体的な構成は上述の実施形態に限られるものではなく、この発明の要旨を逸脱しない範囲の設計等も含まれる。上述の実施形態において説明した各構成は、任意に組み合わせることができる。
例えば、受信装置１０は、図１２に示す処理又は図１７に示す処理と、図１９のステップＳ１２１、Ｓ１２３−Ｓ１２６を実行してもよい。図１７に示す処理において、受信装置１０は、予告フラグとして輝度情報テーブルに放送開始時刻と対応付けて記憶した輝度情報を用いてもよい。
【０１０４】
図１２のステップＳ１０５又は図１９のステップＳ１２６で行われる輝度範囲の制御において、輝度範囲の設定として映像処理部１７４に設定する信号レベルの最大値を制御することに代え、レベル制御部１７９は、表示部１５のゲインを制御してもよい。図１１に示す例において、レベル制御部１７９は、時刻ｔ３において表示部１５のゲインを所定の基準値から基準値の１／２０（＝３００／６０００）に低下させ、その後、時刻ｔ３＋τにかけて表示部１５のゲインを基準値まで線形に変化させる。この場合、映像処理部１７４は、輝度情報で指示された輝度範囲の所定の最大値を用い、レベル制御部１７９からの最大値に基づくクリッピングを省略することができる。
【０１０５】
図１７のステップＳ１１３、Ｓ１１５で行われる輝度範囲の制御において、輝度範囲の設定として表示部１５のゲインを制御することに代え、映像処理部１７４に設定する信号レベルの最大値を制御してもよい。図１５に示す例において、レベル制御部１７９は、時刻ｔ１３において信号レベルの最大値を、所定のＳＤＲの最大値から所定のＨＤＲの最大値の１／２（信号レベル５０％、３００ｃｄ／ｍ２に相当）に変更する。この時点では、最大輝度はＳＤＲからＨＤＲへの切り替えに伴って変更しない。その後、レベル制御部１７９は、時刻ｔ１３＋ΔＴにかけて信号レベルの最大値を所定のＨＤＲの最大値まで線形に変化させる。また、レベル制御部１７９は、時刻ｔ１４−ΔＴから時刻ｔ１４にかけて信号レベルの最大値を所定のＨＤＲの最大値から、その１／２に線形に変化させる。そして、時刻ｔ１４において、レベル制御部１７９は、信号レベルの最大値を所定のＳＤＲの最大値に変更する。映像処理部１７４において、レベル制御部１７９が定めた最大値に基づいて信号値のクリッピングが行われるが、映像全体の輝度が変化せず、輝度範囲の変更の前後にわたり輝度が共通となる信号レベルが存在する。そのため、画質の劣化を緩和又は解消することができる。
【０１０６】
なお、上述した実施形態における各種の数値は例示であって、それらの値を限定するものではない。例えば、図２に示す信号レベル５０％、１００％、輝度３００ｃｄ／ｍ２、６０００ｃｄ／ｍ２などの数値は、別個の数値（例えば、信号レベル７０％、１００％、輝度８００ｃｄ／ｍ２、６０００ｃｄ／ｍ２）であってもよい。例えば、図１４に示す輝度１００ｃｄ／ｍ２、２０００ｃｄ／ｍ２などの数値は、別個の数値（例えば、輝度７５ｃｄ／ｍ２、１５００ｃｄ／ｍ２）であってもよい。
【０１０７】
なお、上述した実施形態では、放送システム１がメディアトランスポート方式としてＭＭＴ方式を用いる例について説明したが、これには限られない。放送システム１は、例えば、ＭＰＥＧ−２  ＴＳ方式やＲＴＰ（Ｒｅａｌ−ｔｉｍｅ  Ｔｒａｎｓｐｏｒｔ  Ｐｒｏｔｏｃｏｌ）方式などのメディアトランスポート方式が用いられてもよい。
【０１０８】
なお、上述した発明は、次の態様でも実施することができる。
（１）コンテンツのサービス情報から、現時点の映像の輝度情報を示す現状情報と、現時点から所定時間後の映像の輝度情報を示す予告情報とを取得するサービス情報処理部と、前記現時点の映像の輝度範囲から前記予告情報が示す輝度範囲が変化するとき、前記輝度範囲の変化よりも緩やかに輝度範囲を変化させるレベル制御部と、前記レベル制御部が定めた輝度範囲で前記映像を表示する表示部と、を備える受信装置。
【０１０９】
（２）前記レベル制御部は、前記現時点の映像の輝度範囲から前記予告情報で指示される輝度範囲が拡大するとき、前記予告情報で指示される輝度範囲が縮小するときよりも長い時間をかけて前記輝度範囲を変更する（１）の受信装置。
【０１１０】
（３）前記レベル制御部は、現時点の映像の輝度範囲よりも前記予告情報が示す輝度範囲が広いとき、前記映像の最大輝度を前記所定時間後までに、所定の輝度まで漸次低下させる（１）または（２）に記載の受信装置。
【０１１１】
（４）前記レベル制御部は、所定の輝度までの輝度の低下を、前記所定時間後から漸次解除する（３）の受信装置。
【０１１２】
（５）前記予告情報が示す輝度情報が有効な継続時間がさらに設定されているとき、前記レベル制御部は、所定の輝度までの輝度の低下を、前記所定時間後のさらに前記継続時間後から漸次解除する（３）または（４）の受信装置。
【０１１３】
（６）前記予告情報が示す輝度範囲が変化するとき、前記輝度範囲の変化を通知させる表示制御部、をさらに備える（１）から（５）のいずれかの受信装置。
【０１１４】
（７）送信装置と受信装置を備える放送システムであって、前記送信装置は、コンテンツと、現時点の映像の輝度情報を示す現状情報と、現時点から所定時間後の映像の輝度情報を示す予告情報を含む前記コンテンツのサービス情報を送信し、前記受信装置は、前記サービス情報から、前記現状情報と、前記予告情報とを取得するサービス情報処理部と、前記現時点の映像の輝度範囲から前記予告情報が示す輝度範囲が変化するとき、前記輝度範囲の変化よりも緩やかに輝度範囲を変化させるレベル制御部と、前記レベル制御部が定めた輝度範囲で前記映像を表示する表示部と、を備える放送システム。
【０１１５】
（８）受信装置における受信方法であって、コンテンツのサービス情報から、現時点の映像の輝度情報を示す現状情報と、現時点から所定時間後の映像の輝度情報を示す予告情報とを取得するサービス情報処理ステップと、前記現時点の映像の輝度範囲から前記予告情報が示す輝度範囲が変化するとき、前記輝度範囲の変化よりも緩やかに前記映像を表示させる輝度範囲を変化させるレベル制御ステップと、を有する受信方法。
【０１１６】
（９）受信装置のコンピュータに、コンテンツのサービス情報から、現時点の映像の輝度情報を示す現状情報と、現時点から所定時間後の映像の輝度情報を示す予告情報とを取得するサービス情報処理ステップと、前記現時点の映像の輝度範囲から前記予告情報が示す輝度範囲が変化するとき、前記輝度範囲の変化よりも緩やかに前記映像を表示させる輝度範囲を変化させるレベル制御ステップと、を実行させるためのプログラム。
【０１１７】
また、上述の受信装置１０、送信装置２０の機能を実現するためのプログラムをコンピュータ読み取り可能な記録媒体に記録して、この記録媒体に記録されたプログラムをコンピュータシステムに読み込ませ、実行することにより受信装置１０、送信装置２０を実現してもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。
【０１１８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。
【０１１９】
なお、プログラムを複数に分割し、それぞれ異なるタイミングでダウンロードした後に端末装置で一体化する構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【産業上の利用可能性】
【０１２０】
以上のように、本発明に係る受信装置、放送システム、受信方法、及びプログラムは、放送される映像の輝度を制御するうえで有用である。
【符号の説明】
【０１２１】
１…放送システム、１０…受信装置、１１…放送受信部、１２…入力部、１４…拡声部、１５…表示部、１６…記憶部、１７…制御部、１７１…復調部、１７２…分離部、１７３…音声処理部、１７４…映像処理部、１７５…表示処理部、１７６…ＳＩ処理部、１７７…表示制御部、１７８…選局部、１７９…レベル制御部、２０…送信装置、２１０…サービス情報取得部、２２０…放送コンテンツ取得部、２３０…多重化部、２４０…変調部、２５０…送信部、ＢＴ…放送伝送路、ＢＳ…放送衛星、ＲＣ…制御装置
【図１】
2017033811.tif 000003
【図２】
2017033811.tif 000004
【図３】
2017033811.tif 000005
【図４】
2017033811.tif 000006
【図５】
2017033811.tif 000007
【図６】
2017033811.tif 000008
【図７】
2017033811.tif 000009
【図８】
2017033811.tif 000010
【図９】
2017033811.tif 000011
【図１０】
2017033811.tif 000012
【図１１】
2017033811.tif 000013
【図１２】
2017033811.tif 000014
【図１３】
2017033811.tif 000015
【図１４】
2017033811.tif 000016
【図１５】
2017033811.tif 000017
【図１６】
2017033811.tif 000018
【図１７】
2017033811.tif 000019
【図１８】
2017033811.tif 000020
【図１９】
2017033811.tif 000021
【国際調査報告】
2017033811.tif 000022
2017033811.tif 000023